(57)【要約】【課題】従来技術の欠点を排除した、特にコンパクトディスク、ＤＶＤ等のディスクのための容器であって、少なくとも二枚のディスクを保護し、該ディスクの収納、取り出しが容易な容器を提供する。【解決手段】該容器には、少なくとも二枚のディスクをディスクの中央孔と係合する中央保持手段（４）によって支持する少なくとも二つのトレイ要素（２）であって、該トレイ要素（２）が上下関係に位置され、かつ二つの位置、すなわち、ディスクを相互に共軸線関係にして相互に並置される閉鎖位置と、上側のトレイ要素（２）が下側のトレイ要素（２）に対して完全にずれて、そのトレイ要素（２）の中に収納したディスクが相互に対して並置されない開放位置と、をとるように相互に対して滑り可能に連結されているトレイ要素（２）が設けられる。【選択図】図４
2006219199.tif 000002
【特許請求の範囲】
【請求項１】
少なくとも二枚のディスク、特にコンパクトディスク、ＤＶＤ等のための容器であって、前記の少なくとも二枚のディスクを該ディスクの中央孔と係合する中央保持手段によって支持する少なくとも二個のトレイ要素を設けており、前記の少なくとも二個のトレイ要素が上下関係で設けられ、かつ二種類の位置、すなわち前記ディスクを相互に共軸線関係にして相互に並置されている閉鎖位置と、上側のトレイ要素が下側のトレイ要素に対して完全にずれていて、そのため前記トレイ要素内に収納されたディスクの間に並置関係が存在しない開放位置と、をそれぞれ取るように相互に滑り可能に連結されていることを特徴とするディスク用容器。
【請求項２】
前記上側のトレイ要素が前記下側のトレイ要素に収納されたディスクの上面を見るための開口を設けていることを特徴とする請求項１に記載の容器。
【請求項３】
前記上側のトレイ要素がその面の一部にローレット切りされていることを特徴とする請求項１または２に記載の容器。
【請求項４】
前記トレイ要素が前記ディスクを取り出しやすくするための少なくとも一つのノッチを設けていることを特徴とする請求項１から３までのいずれか１項に記載の容器。
【請求項５】
前記トレイ要素が前記ディスクを取り出しやすくするための４個のノッチを設けていることを特徴とする請求項４に記載の容器。
【発明の詳細な説明】
【技術分野】
【０００１】
本発明は複数のディスク、特にコンパクトディスク、ＤＶＤ等のための容器（ｃｏｎｔａｉｎｅｒ）に関するものである。
【０００２】
詳しくは、本発明はディスク用の容器であって、寸法が小さくされ、その中に収容されたディスクを１枚毎に取り出しやすくするよう研究され、かつ実現された容器に関するものである。
【背景技術】
【０００３】
周知のように、ＣＤ（コンパクトディスク）あるいはＤＶＤ（デジタルビデオディスク）のいずれかのようなディスクのための多くの容器で、例えばパッケージで販売するための容器が市販されている。
【０００４】
複数のディスクを披露し、同時にそれらを保護できるようにするために、通常プラスチックでつくられ、中央にディスクの保持手段を備えた１個以上の内側の円形の座（ｓｅａｔｉｎｇｓ）を設けている容器が提案されてきた。
【０００５】
この種の容器の一例がドイツ特許第８７０２３５３Ｕ号公報（ＤＥ  ｐａｔｅｎｔ  ｎｏ  ８７０２３５３Ｕ）に記載されている。この特許に記載されている好適実施例においては、円形の座の周囲にくぼみが設けられ、その中に収納されたディスクを簡単に取出すために指が挿入できるようになっている。
【０００６】
この種の容器は単に二枚のディスクを収納するだけであっても極めて嵩高いという欠点を有している。従って、前記装置は多数のディスクを収納することができない。
【０００７】
複数のディスクを搬送し、同時に前記ディスクを保護することを可能とする二種類の装置が国際特許第９２１５５０５号公報（ＷＯ  ９２１５５０５）と米国特許第５３２２１６２号公報（ＵＳ  ５３２２１６２）とに記載されている。最初の特許は、その上にディスクを位置させかつ固定することができる複数のハウジングで、外側の容器にヒンジ接続されているハウジングを有する容器を記載している。代わりに、第二の特許は並置された複数のハウジング（ａ  ｐｌｕｒａｌｉｔｙ  ｏｆ  ｈｏｕｓｉｎｇｓ  ｊｕｘｔａｐｏｓｅｄ）を設けて、その中にディスクを固定することができる。前記ハウジングは単一の軸線に沿ってヒンジ接続されている。
【０００８】
前述の装置では、ディスクの取り出しは個別に行うことができるものの、実用化にはかなり複雑であるし、かつ嵩高い。
【０００９】
より簡単な装置が欧州特許第０６７６７３１Ｂ１号公報（ＥＰ  ０６７６７３１Ｂ１）に記載されている。前記の特許は少なくとも二枚のディスクを収納するのに適したハウジングを備えた「トレイ」本体について記載している。前記トレイ本体は、
・ディスクが中央孔を通して適当な手段によって固定され、
・二枚のディスクが相互に離隔されるように位置され、
・前記の二枚のディスクが相互に対して並置され、これらのディスクを相互に対してずらした状態に保つように２個のハウジングが形成される、
ようにして提供される。
【００１０】
前記容器は実施するのは簡単であるものの、最初のディスクを取り出すには先ず他のディスクを取り外さなければならず、したがって使用が便利ではないという欠点を有している。
【発明の開示】
【発明が解決しようとする課題】
【００１１】
したがって本発明の目的は、コンパクトであり、ディスクの保護が可能であり、同時にディスクを相互に独立して取り出すことを可能とするディスク用容器を提案することである。
【００１２】
本発明の別の目的は容器を容易に実施できるようにすることである。
【課題を解決するための手段】
【００１３】
従って、本発明の具体的な目的は、少なくとも二枚のディスク、特にコンパクトディスク、ＤＶＤ等のための容器であって、ディスクの中央孔と係合する中央の保持手段によって少なくとも二枚のディスクを支持する少なくとも二個のトレイ要素を設けており、前記の少なくとも二個のトレイ要素が上下関係で設けられ、それらがディスクの相互に対して共軸線関係で相互に並置される閉鎖位置と、上側のトレイ要素が下側のトレイ要素に対して完全にずれてこれらトレイ要素内に収納されたディスクの間に何ら並置関係が存在しない開放位置との、それぞれ、二つの位置をとるように、相互に対して滑り可能に連結されていることを特徴とする容器を提供することである。
【００１４】
更に本発明によると、上側のトレイ要素は下側のトレイ要素に収納されたディスクの上面を目視するための開口を設けることができる。
【００１５】
更に本発明によると、前記の上側のトレイ要素はその表面の一部をローレット切りすることができる。
【００１６】
前記のトレイ要素はディスクを取り出しやすくするために少なくとも一つのノッチを設けうることが有利である。
【００１７】
本発明によると、好ましくは、前記トレイ要素はディスクを取り出しやすくするために４個のノッチを設けることができる。
【００１８】
本発明を特に添付図面を参照し、好適実施例に従って、例示目的であって、限定的でなしに以下説明する。
【発明を実施するための最良の形態】
【００１９】
図１、図２および図３を参照すれば、閉鎖したときの本発明によるディスク用容器１を見ることができる。
【００２０】
これらの図面から、各々に座３が形成されているトレイ要素２に注目できる。前記座３は、コンパクトディスク（図示せず）を受け入れるために円形とされている。前記座３は中央の弾性のピン４すなわち保持手段を設けている。該ピン４はディスクの中央孔と係合する。
【００２１】
本実施例での容器１は３個のトレイ要素２を設けており、該トレイ要素２は閉鎖されると、相互に並置される。この位置において、ディスクは相互に完全に並置されている。
【００２２】
前記トレイ要素２は、相互に対して滑るように連結されている。図４および図５においては、前記トレイ要素２はＶ方向に滑ることを認めることができる。
【００２３】
図面から判るように、容器１が開放すると、３個のトレイ要素２に手が届いてコンパクトディスクをそれら各々が収納されている座３から取り出すことができる。特に、例えば座３′′の上にある座３′内に収納されたディスクあるいは座３′′の下にある座３′′′内に収納されているディスクを取り出す必要なく座３′′に収納されたディスクを取り出すことが可能であることが注目しうる。
【００２４】
コンパクトディスクの取り出しを更に容易にするために、各トレイ要素２は座３の周囲に形成された少なくとも一つのノッチ５を設けている。図示した実施例においては、各トレイ要素２の各座３に対して４個のノッチ５が設けられている。
【００２５】
従って、各座３からディスクを取り出すためには、特定のディスクに達しうるまで１個以上のトレイ要素２を完全に滑らせ、指で弾性のピン４を押し、次いで前記ノッチ５の１個に指を入れて、こうしてディスクを取り出すことが必要である。
【００２６】
下側のトレイ要素２は、例えばボール紙、プラスチックからなる各種類の支持体あるいはボックスに連結させることができる。このようにして前述した容器１を採用して種々のディスクのパッケージを形成することができる。本発明の更に別の実施例が図６から図１０までに示されている。
【００２７】
図６、図７および図８は特にＤＶＤに適した容器１を示す。
【００２８】
通常の商業上の規格に適合するように、前述したＣＤ用の容器１に対してトレイ要素２の寸法のみにおいて相違していることが認められる。実際に、ＣＤとＤＶＤとは同じ直径を有していることが知られている。
【００２９】
トレイ要素２の上面には、ローレット切りの部分（ｋｎｕｒｌｅｄ  ａｒｅａ）が設けられている。前記の部分は美的効果が得られることの他に、下側のトレイ要素に対して上側のトレイ要素２を滑らせやすくしうる。
【００３０】
図７と図８は、開放状態でかつ２個のトレイ要素２を備えた容器１を示している。この場合においても、上側のハウジング２′に収納されたＤＶＤを取り出す必要なく座３′′に収納されたＤＶＤに手が届きうることを確実にする。
【００３１】
図９と図１０とは容器１の第三の実施例を示す。この場合、ハウジング３′は「８」の字形であり、使用者がトレイ要素２を見て、それによって、容器１内に収納されたディスクの数が分かるようにできる。この場合もまた、明らかに、容器１が閉鎖すると、全てのディスクが相互に完全に並置される。
【００３２】
前記の説明に基づけば、本発明の基本的な特徴は他のディスクを取り出すことなく容器内に収納された各ディスクに手が届きうるようにし、同時に極めてコンパクトな寸法を維持することができることである。
【００３３】
本発明の別の利点は極めて多様な支持体に対して適用できることである。
【００３４】
本発明を好適実施例によって、例示的で限定的でなしに説明してきたが、当該技術分野の専門家によって特許請求の範囲に規定された範囲から逸脱することなく修正および（または）変更が導入しうることを理解すべきである。
【図面の簡単な説明】
【００３５】
【図１】本発明によるディスク用容器の閉鎖位置における上面図である。
【図２】図１に示すディスク用容器の第一の横断面図を示す。
【図３】図１に示すディスク用容器の第二の横断面図を示す。
【図４】本発明によるディスク用容器の開放位置における上面図である。
【図５】図４に示すディスク用容器の横断面図を示す。
【図６】特にＤＶＤに適した本発明によるディスク用容器の第二の実施例の閉鎖位置における上面図である。
【図７】本発明によるディスク用容器の第二の実施例の開放位置における上面図である。
【図８】図７に示すディスク用容器の横断面図を示す。
【図９】特にＤＶＤに適した本発明によるディスク用容器の第三の実施例の閉鎖位置における上面図である。（実施例３）
【図１０】本発明によるディスク用容器の第三の実施例の開放位置における上面図である。
【符号の説明】
【００３６】
１  容器
２  トレイ要素
３  座
４  中央ピン
５  ノッチ
【図１】
2006219199.tif 000003
【図２】
2006219199.tif 000004
【図３】
2006219199.tif 000005
【図４】
2006219199.tif 000006
【図５】
2006219199.tif 000007
【図６】
2006219199.tif 000008
【図７】
2006219199.tif 000009
【図８】
2006219199.tif 000010
【図９】
2006219199.tif 000011
【図１０】
2006219199.tif 000012